(57)【要約】【課題】  ウィルスや細菌、微粒子等の体内への侵入を防ぐためのマスクであって、飲食や歌唱を行う際にも装着したままにできるマスクを提供する。【解決手段】  不織布マスク１００のマスク本体１１０には、本体下部１１０Ｂの左右両側端に摘み部１５０Ｒ、１５０Ｌが設けられる。装着者は、通常のマスク装着状態（口と鼻を覆う状態）から、前記摘み部１５０Ｒ、１５０Ｌを左右に引っ張り上方に反転させて折畳み、本体下部１１０Ｂを本体上部１１０Ａと重ね合わせることで口を露出できる。折畳み動作の際、摘み部１５０Ｒ、１５０Ｌを左右に引っ張るとマスク本体１１０が顔の表面から引き離され、装着者の化粧崩れも防止できる。マスク本体１１０の第１の襞部１６１と直下の第２の襞部１６２との間が折畳み領域１１０Ｚとなり、その間の折畳み領域１１０Ｚの中央（中央線１１５）でマスク本体１１０が２つに折り畳まれる。【選択図】  図１
0003233183.tif 000002
【実用新案登録請求の範囲】
【請求項１】
横長長方形のマスク本体と、該マスク本体の左右両側端にそれぞれ取り付けられた一対の耳紐とを有し、
前記マスク本体は、上方から下方にかけて、前記耳紐の上端が取り付けられる本体上部と、前記耳紐の下端が取り付けられる本体下部と、前記上部と前記下部との間に設けられ口と鼻を覆う本体中間部とからなり、
一対の摘み部が、前記本体下部の左右両側端にそれぞれ設けられていることを特徴とするマスク。
【請求項２】
前記マスク本体の左右両側端にそれぞれ取り付けられた前記一対の耳紐は、その軸が前記一対の摘み部の上端とマスク本体の側端が交わって形成される角部に対して４５度となるように取り付けられていることを特徴とする請求項１に記載のマスク。
【請求項３】
前記マスク本体は、上辺がマスク本体の中央から左右両側端にかけて下方に傾斜し、下辺がマスク本体の中央から左右両側端かけて上方に傾斜するように形成されていることを特徴とする請求項１又は請求項２に記載のマスク。
【請求項４】
前記マスク本体は不織布からなり、
前記本体中間部には、２以上の襞が形成された第１の襞部が前記本体上部の側に設けられ、２以上の襞が形成された第２の襞部が前記本体下部の側に設けれ、
前記第１の襞部と前記第２の襞部の間に、前記不織布の膜厚が前記第１の襞部及び前記第２の襞部より薄くなる細長の折畳み領域が形成されることを特徴とする請求項１から請求項３の何れかに記載のマスク。
【請求項５】
前記横長の折畳み領域の左右両側端では、前記マスク本体の左右両側端にそれぞれ切欠が形成されていることを特徴とする請求項１から請求項４の何れかに記載の不織布マスク。
【考案の詳細な説明】
【技術分野】
【０００１】
本考案は、ウイルス、細菌等の飛沫感染や微粒子の体内への侵入を防止するマスクに関する。
【背景技術】
【０００２】
近年、新型コロナウィルス（COVID-19）等の感染症を引き起こす各種のウィルス、各種の細菌、ＰＭ２．５、花粉の微粒子等の体内侵入を防ぐためにフィルタ機能の高いマスクが提供されているが、特に、ウィルス感染症が蔓延した場合には、高性能のマスクを日常的に装着する必要が生じる。
一般に用いられているマスクの中でも不織布マスクは、他の布マスクやウレタンマスクと比べ、その素材（不織布）や、襞を用いた独自の形状により、口、鼻を効果的に覆うことでウィルスや細菌を含む飛沫や微粒子の体内への侵入を防止する高い効果が期待されている。
【０００３】
特許文献１には、繊維不織布製のシートから形成されたマスク本体と、マスク本体の両側縁から環状に延びる一対の耳掛け部と、マスク本体においてシートを折り重ねた重畳部分からなる複数の襞（プリーツ）を有する使い捨てマスクが開示されている。
【先行技術文献】
【特許文献】
【０００４】
【特許文献１】特開２００８−５５０３５号公報
【考案の概要】
【考案が解決しようとする課題】
【０００５】
ところで、ウィルス感染症が生じた場合、他人（感染者）のウィルスを含む飛沫が体内に侵入されないように、又は、自分が感染した場合には、自己からウィルスを含む飛沫を拡散させないために高性能マスク（例えば不織布マスク）を装着する必要があるが、他人と会食を楽しむ場面や、大人数でカラオケを楽しむ場面では、飲食、歌唱の度にマスクを取り外す必要が生ずる。
【０００６】
ここでマスクを外して他人と飲食したり、他人の前で歌唱する行為は、特に、ウィルスや細菌を含む飛沫を大量に拡散することが知られている。
他人と会食を楽しむのであれば、互いの距離を十分に空け、更にアクリル板で互いを隔離するなどの対策を施さねばならず、この場合であっても、飲食が終わった時点でマスクを装着する必要があり、会食の最中、マスクの着脱を繰り返す必要がある。
また、他人とカラオケを楽しむ場合にも、歌唱時にはマスクを外し、歌唱が終わったらすぐにマスクを装着するという具合にマスクの着脱を繰り返す必要がある。
【０００７】
また、マスクの着脱を行う場合、外したマスクにウィルスや細菌が付着しないように清潔な状態でマスクの保管しなければならないが、実際には、外したマスクを机の上に無造作に置いたり、ポケットにしまうと、マスク自体が不衛生になる。
【０００８】
また、マスクにウィルスや細菌が付着していた場合には、机や衣服にウィルスや細菌が付着することがあり、マスクの着脱によって却ってウィルスや細菌による感染が広まってしまうという問題も生じ得る。
さらに、頻繁なマスクの着脱は化粧をする人にとっては、マスクの着脱の毎にマスクと肌とが擦れて、化粧崩れが生じ易くなるという問題もある。
【０００９】
そこで本願の考案者は、マスクの通常の装着状態（口と鼻を覆った状態）ではウィルス、細菌、ＰＭ２．５の体内への侵入を防止し、飲食や歌唱のために口を露出する必要がある場合には即座に口を露出させ、飲食や歌唱が終わった際に口と鼻を覆う動作を、ストレスを感じることがなく行うことができ、しかもマスクにウィルスや細菌等が付着したり、マスクに付着したウィルスや細菌等がマスク保管場所に付着する虞れのないマスクを提供することを課題とする。
【課題を解決するための手段】
【００１０】
本願の第１の考案は、マスクを、横長長方形のマスク本体と、該マスク本体の左右両側端にそれぞれ取り付けられた一対の耳紐とを有し、前記マスク本体を、上方から下方にかけて、前記耳紐の上端が取り付けられる本体上部と、前記耳紐の下端が取り付けられる本体下部と、前記上部と前記下部との間に設けられ口と鼻を覆う本体中間部とで構成し、一対の摘み部を前記本体下部の左右両側端にそれぞれ設けたものである。
また、本願の第２の考案は、マスク本体の左右両側端にそれぞれ取り付けられた前記一対の耳紐を、その軸が前記一対の摘み部の上端とマスク本体の側端が交わって形成される角部に対して斜め（例えば斜め４５度）となるように取り付けたものである。
【００１１】
また、本願の第３の考案は、マスク本体を、その上辺がマスク本体の中央から左右両側端にかけて下方に傾斜し、下辺がマスク本体の中央から左右両側端かけて上方に傾斜するように形成したものである。
また、本願の第４の考案は、マスク本体を不織布シートによって構成し、２以上の襞が形成された第１の襞部を前記本体中間部の前記本体上部の側に設け、２以上の襞が形成された第２の襞部を前記本体中間部の前記本体下部の側に設け、前記第１の襞部と前記第２の襞部の間に、前記不織布の膜厚が前記第１の襞部及び前記第２の襞部より薄くなる細長の折畳み領域を形成したものである。
また、本願の第５の考案は、前記マスク本体の左右両側端の前記横長の折畳み領域と重なる位置に切欠を形成したものである。
【考案の効果】
【００１２】
上記第１、第２の考案によれば、マスクを通常の装着状態（口と鼻を覆った状態）から、マスク本体の下端部の左右に設けられた摘み部を左右に引っ張り、この状態のまま上方に引き上げることで、本体下部が本体上部とが容易に重ね合わされて、口を露出することがでる。
このとき、マスク本体は、装着者の顔の口から上の位置で２つに折り畳まれた状態が安定的に保持され、鼻に関しては引き続き本体中間部で覆うことができる。
このためマスクを口と鼻の両方を覆う通常の装着状態から、飲食時やカラオケでの歌唱時にのように口を露出する必要が生じた場合に、マスクをつけたまま、適宜、口のみを露出させて飲食や歌唱を行い、飲食や歌唱が終わった時に素早く通常の使用状態に戻ることができる。
【００１３】
また、マスクを上下２つに折り畳むに際して、摘み部を横に引っ張りながら上方に引き上げるだけでマスク本体を顔の表面から前方に引き離すことができるので、化粧を施していた場合には化粧崩れ等が生じにくくもなる。
また、第３の考案によれば、マスクの本体の形状が、中央から左右両側端に向かって下がるように傾斜し、下端では左右両側端に向かって上がるように傾斜された形状となっているため、マスクの通常の装着状態でも、下部を上部に重ね合わせて口を露出した装着状態でも、マスクが装着者の視界を妨げることがなくなる。
【００１４】
また、第４の考案によれば、第１の襞部、第２の襞部の間の細長の折畳み領域では襞が設けられていない分だけ、他の部分（第１の襞部、第２の襞部）より薄くなるので、マスク本体を上下２つに折り畳む際に、マスク本体が折畳み領域に沿って（本体中間部の中央の線に沿って）、簡単にしかも素早く、下部が上部にきれいに重ねられ、型崩れもなく、見栄えもよくなる。
【００１５】
また、第５の考案によれば、前記本体中間部の左右両側端に切欠が形成されるので、細長の折畳み領域の作用と相俟って、より簡単にしかもより素早く、マスク本体を上下２つに折り畳むことができる。
また、マスクの折り畳み時には、耳紐の上下の取付け部が重なるため、耳紐が頬から耳とにかけて安定した円状となり、２つに折り畳んだ状態が安定し、飲食時や歌唱時にマスクがずれ難くなる。
【図面の簡単な説明】
【００１６】
【図１】本考案の第１の実施形態に係る不織布マスク１００の外面を示す正面図である。
【図２】マスク本体１１０の外周部に設けられたシール領域（１３１〜１３４）のレイアウトを示す不織布マスク１００の正面図である。
【図３】不織布マスク１００の取付け部（１４１〜１４４）と第１、第２の襞部と各部の寸法を示す図である。
【図４】不織布マスク１００の第１、第２の襞部を内面から示す図である。
【図５】不織布マスク１００の右下の取付け部１４４を示す拡大図である。
【図６】不織布マスク１００の通常の装着状態を示す説明図である。
【図７】不織布マスク１００で口と鼻を覆う通常の装着状態から、マスク本体部１１０の摘み部１５０Ｒ、１５０Ｌを左右に広げる動作手順を示した説明図である。
【図８】不織布マスク１００の摘み部１５０Ｒ、１５０Ｌを引き上げて２つ折りにし、口を露出するまでの動作手順を示す説明図である。
【図９】不織布マスク１００で口と鼻を覆う通常の装着状態から、摘み部１５０Ｒ、１５０Ｌを用いてマスク本体部１１０を上下２つ折りにし、口を露出するまでの動作手順を顔の側面から示した説明図である。
【図１０】本考案の第２の実施形態に係る不織布マスク２００の外形及び各部の寸法を示す正面図である。
【図１１】不織布マスク２００で口と鼻を覆う通常の装着状態から、摘み部１５０Ｒ、１５０Ｌを用いてマスク本体部１１０を２つに折り畳んで口を露出するまでの動作手順を顔の正面と側面から示した説明図である。
【考案を実施するための形態】
【００１７】
（第１の実施の形態）
以下、本願の第１の実施の形態に係る不織布マスク１００について、図１〜図５を用いて説明する。
図１に示すように、不織布マスク１００は、横長長方形のマスク本体１１０と、該マスク本体１１０の右側に取り付けられた左右一対の耳紐１２０（１２０Ｒ、１２０Ｌ）とからなる。
【００１８】
このうちマスク本体１１０は、それぞれの機能に着目して、本体上部１１０Ａと、本体下部１１０Ｂと、本体上部１１０Ａと本体下部１１０Ｂの間の本体中間部１１０Ｃとに分けられる。
マスク本体部１１０の左右両側端に取り付けられる一対の耳紐１２０（１２０Ｒ、１２０Ｌ）は、弾性を有する伸縮可能な素材で構成され、マスク本体１１０を２つに折り畳む動作を容易にする。素材としては、不織布、織布、プラスチックフィルム、ゴムひも等の公知のものを適宜用いることができる。
【００１９】
マスク本体１１０を形成する不織布シートは、肌に触れる内層シート（図示省略）と、肌に触れない外層シート（図示省略）、及び、これら内層シートと外層シートとの間に設けられてウィルス等の微細粒子を捕獲して体内への侵入を防ぐフィルタシート（図示省略）を含む多層構造となっている。
マスク本体１１０の外周には、図２に示すように、上側のシール領域１３１、下側のシール領域１３２、右側のシール領域１３３、左側のシール領域１３４が設けられている。
これら４つのシール領域１３１，１３２，１３３，１３４では、多層（ここでは３層）の不織布が外周に沿うように延びる複数の線状溶着ライン（図中、太い破線で示す。）で溶着され、内層シート、フィルタシート、外層シートが接合される。
なお、本体上部１１０Ａには、３本の線状溶着ラインが形成され、最上部の線状溶着ラインとその直下の線状溶着ラインの間に、使用時に鼻の形状に合わせて折り曲げ可能な補強部材１１１が配置されている。
【００２０】
マスク本体１１０において、溶着接合ラインをその外周部のみに形成することで、溶着接合ラインで囲まれた中央の領域では、３層の不織布の溶着が行われない。このとき本体中間部１１Ｃの中央の領域での柔軟性及び通気性が維持される。
ここで内層シートと外層シートは、例えば、メルトブローン繊維不織布、スパンボンド繊維不織布、ＳＭＳ繊維不織布及びエアスルー繊維不織布等の各種公知の繊維不織布等から形成することができる。また、内層シートは、肌触りの良好な繊維不織布、外層シートは、シート強度の強い繊維不織布を用いることが好ましい。
【００２１】
マスク本体１１０の中央を構成する本体中間部１１０Ｃは、図３、図４に示すように、縦方向に複数回折り畳まれた複数の襞（図３、図４の例では、合計８つの襞）が形成され、本体中間部１１０Ｃの中央の線（中央線１１５）の上側に第１の襞部１６１、中央線１１５の下側に第２の襞部１６２が形成される。
これら第１の襞部１６１と第２の襞部１６２とで挟まれた横方向に延びる（中央線１１に沿った）細長の領域が折畳み領域１１０Ｚとなる。
この折畳み領域１１０Ｚでは、不織布シートが折り畳まれていないため、第１の襞部１６１、第２の襞部１６２と比べて、膜厚が極端に薄くなる。
【００２２】
マスク本体１１０の前記本体上部１１０Ａ、前記本体中間部１１０Ｃ、前記本体下部１１０Ｂは、全ての左右両側端において、右側のシール領域１３３と左側のシール領域１３４にて溶着される。
このように本体中間部１１０Ｃでは、第１の襞部１６１、第２の襞部１６２は、マスク本体１１０の左右両側端でのみ溶着されるため、この左右両側端では襞が広がることがなく、その中央でのみ襞が広がることが可能となる。
【００２３】
マスク本体１１０の本体下部１１０Ｂには、図１〜図３に示すように、左右両側端に摘み部１５０（１５０Ｌ、１５０Ｒ）が設けられている。この摘み部１５０Ｒ、１５０Ｌは、右側のシール領域１３３の最下端、左側のシール領域１３４の最下端で、マスク本体部１１０に溶着されている（図３）。
また、マスク本体１１０の本体上部１１０Ａの右側のシール領域１３３の最上端（取付け部１４１）と、左側のシール領域１３４の最上端（取付け部１４３）には、図３に示すように、一対の耳紐１２０（１２０Ｒ、１２０Ｌ）の上端１２１（１２１Ｒ、１２１Ｌ）が溶着されている。
マスク本体１１０の右側のシール領域１３３の最下端（取付け部１４２）と、左側のシール領域１３４の最下端（取付け部１４４）には、前記一対の耳紐１２０（１２０Ｒ、１２０Ｌ）の下端１２２（１２２Ｒ、１２２Ｌ）が前記摘み部１５０（１５０Ｒ、１５０Ｌ）に重ねて溶着されている（図２、図３）。
【００２４】
ここで、取付け部１４２、取付け部１４４では、耳紐１２０Ｒ、１２０Ｌの下端１２２Ｒ、１２２Ｌは、耳紐１２０の軸芯が、マスク本体１１０の側端と摘み部１５０Ｌ、１５０Ｒの上端で形ち付けられる直角の部分に、斜めに（４５度の角度となるように）重ね合わされている（図５参照）。
この結果、不織布マスク１００のマスク本体１１０の下側を上方に折り曲げて２つに折り畳まれる際に、耳紐１２０（１２０Ｒ、１２０Ｌ）が、摘み部１５０Ｒ、１５０Ｌを摘まむ指の邪魔にならず、かつ、摘み部１５０Ｒ、１５０Ｌの引き伸ばしに十分に耐える溶着強度が保たれる（斜めに重ね合わされるため）。よって、十分な力で摘み部１５０Ｒ、１５０Ｌを引き伸ばし、上方に引き上げて、マスク本体１１０を２つに折り畳む動作が容易になり、摘み部１５０Ｒ、１５０Ｌ近傍での取り付け強度も向上する。
【００２５】
マスク本体１１０の本体中間部１１０Ｃには、前述のように複数の襞が設けられているが、この襞を設けることによって、不織布マスク１００は、使用前、図１に示すように横長の長方形が維持され、装着時には、使用者の顔の形状に合わせてマスク本体１１０の本体中間部１１０Ｃの中央で襞が適宜引き伸ばされて、快適な付け心地と、不織布マスク１００によるウィルス、細菌、微粒子等の体内への優れた侵入防止効果が達成される。
ここで、マスク本体１１０の本体中間部１１０Ｃでは、その中央に上下２等分する折畳み領域１１０Ｚが形成されているため、マスク本体１１０は、この折畳み領域１１０Ｚを中心に上下に２つに折り畳まれる。
【００２６】
折畳み領域１１０Ｚは、前述したように本体中間部１１０Ｃの上側の第１の襞部１６１と下側の第２の襞部１６２との間の襞が形成されていない領域である。
よって、折畳み領域１１０Ｚに沿った折り畳が動作が容易になる。
また、マスク本体１１０には、折畳み領域１１０Ｚの左右両側端に対応した一対の切欠１１２（１１２Ｒ、１１２Ｌ）が形成されている（図１参照）。
この一対の切欠１１２（１１２Ｒ、１１２Ｌ）と折畳み領域１１０Ｚとが相俟って、マスク本体１１０を上下２つに折り畳む動作が、中央線１１５に沿って容易に行うことができる。
【００２７】
なお、マスク本体部１１０の四隅の取付け部１４１、１４２、１４３、１４４では、シール領域１３１とシール領域１３３、シール領域１３１とシール領域１３４が重なり、シール領域１３２とシール領域１３３、シール領域１３２とシール領域１３４が重なる。
このためマスク本体部１１０の四隅では、シートの溶着部分が集中して接合強度が高くなるだけではなく、剛性も高くなる。
また、この第１の実施の形態では、図３、図４の断面図に示すように、第１の襞部１６１では、本体上部側１１０Ａから中央線１１５に向かって、マスク本体１１０の外側（非肌対向面側）において上向きに凸となる襞と、下向き凸となる襞が交互に形成される（第１の襞部１６１では合計４つ）。一方の第２の襞部１６２では、本体下部側１１０Ｂから中央線１１５に向かって、マスク本体１１０の外側において下向きに凸となる襞、上向き凸となる襞が交互に形成されている（第２の襞部１６２でも合計４つの襞）が形成されている。
【００２８】
図３、図５には、不織布マスク１００の各部位の寸法が示されている。
マスク本体１１０の横幅Ｗは１６．５ｃｍであり、高さｈは９．０ｃｍで、切欠１１２（１１２Ｒ、１１２Ｌ）の切込みの深さｄは１．０ｃｍである（図５参照）。
摘み部１５０（１５０Ｒ、１５０Ｌ）は、横幅ｊが２．０ｃｍ、高さｋが１．５ｃｍである。
また、折畳み領域１１０Ｚ内の中央線１１５が、マスク本体１１０の高さｈ（９．０ｃｍ）の１／２の高さ（上端、下端から共に４．５ｃｍ）となるように、第１の襞部１６１、第２の襞部１６２が、不織布を折り畳むことで本体中間部１１０Ｃに形成されている。
【００２９】
次に、不織布マスク１００を通常の装着状態（口と鼻を覆う装着状態）から、摘み部１５０Ｒ、１５０Ｌを指で摘まんで上方に引き上げることでマスク本体１１０を２つに折り畳むんだ状態（口を露出した装着状態）にするための動作手順を図６〜図９を用いて説明する。
図６（ａ）は、口と鼻を覆ってウィルス、細菌、微粒子の体内への侵入を防ために不織布マスク１００を通常通りに装着した状態（通常の装着状態）を示す図である。
【００３０】
この通常の装着状態から、マスク本体１１０を折り畳んで口を露出させた装着状態にするためには、先ず、左右の摘み部１５０（１５０Ｒ、１５０Ｌ）を指で摘まみ（図７（ａ））、この状態から摘み部１５０Ｒ、１５０Ｌを左右方向（図７（ａ）の矢印方向）に引っ張って、マスク本体１１０を広げる（図７（ｂ）、図９（ｂ））。
このときマスク本体１１０は、装着者の顔表面から前方に向かって離れるため（図９（ｂ））、化粧をしていた場合、不織布マスク１００の内面が化粧した部分を擦ることがなく、化粧崩れを生じさせない。
【００３１】
図７（ｂ）に示すように摘み部１５０Ｒ、１５０Ｌを左右の手で摘まんだまま、図８（ｃ）、図９（ｃ）に示すように手首を返してマスク本体１１０の本体下部１１０Ｂを、折畳み領域１１０Ｚ内の中央線１１５を中心に本体上部１１０Ａ側に裏返しながら押し上げることで（図９（ｃ）の矢印）、簡単にかつ素早く口を露出させることができる。
【００３２】
摘み部１５０Ｒ、１５０Ｌを引き上げて、本体下部１１０Ｂの取付け部１４１、１４２が、本体上部１１０Ａの取付け部１４３、１４４と重ね合わされると、マスク本体１１０の本体上部１１０Ａと本体下部１１０Ｂが２つ折りで重なり合い、安定した状態となる（図８（ｄ）、図９（ｄ））。
【００３３】
このときマスク本体１１０は、中央線１１５を中心に上下２つ折りに畳まれ、口が露出した状態となり、鼻は本体中間部１１０Ｃで覆われたままとなる（口が露出した装着状態）。
また、取付け部１４１、１４３と、取付け部１４２、１４４が重ね合わされた状態となるので、取付け部１４１、１４３に溶着された耳紐１２０Ｒは上下端が重ね合わされ、図９（ｄ）に示すように、耳紐１２０の上下端部１２１、１２２が重ね合わされることで、不織布マスク１００は、マスク本体１１０が、飲食時や歌唱時にも安定した折り畳み状態が維持され、快適に食事をしたり、歌唱を楽しむことができる。
【００３４】
食事、歌唱等が終わり、再び不織布マスク１００を通常の装着状態（口と鼻を覆う装着状態）に戻す際には、図７〜図９に示した動作とは逆の動作を行えばよく、簡単に、不織布マスク１００によるウィルス、細菌、微粒子等の体内侵入を阻止する本来的な効果を再度発揮させることができる。
【００３５】
（第２の実施の形態）
次に、本願に係る第２の実施の形態について、図１０、図１１を用いて説明する。
この第２の実施の形態に係る不織布マスク２００は、その上辺が左右両側端に向かって下方に傾斜する「ヘ字型」にカットされ、下辺が左右両側端に向かって上方に傾斜する「逆へ字型」となるようにカットされた六角形となっている。
このような形状とすることで、第１の実施の形態の不織布マスク１００と比較して、図１０の斜線部が切り取られた格好となる。
【００３６】
このように上辺を「へ字型」、下辺を「逆へ字型」とすることで、不織布マスク２００の通常の装着状態（口、鼻を完全に覆った状態）でも、マスク本体２１０が目から耳にかけて顔の形状に沿って左右方向に斜めに切り取られている分、このマスク本体１１０による視界の妨げが最小限に抑えられる。
【００３７】
また、不織布マスク２００のマスク本外部２１０を上下２つに折り畳んだ状態（口が露出した装着状態）でも、上方に反転されたマスク本体２１０の下側が、反転して「へ字型」となって本体上部側の「へ字型」と重なり合うため、飲食時やあ歌唱時でも、２つんい折り畳まれたマスク本体２１０による装着者の視界の妨げを最小限に抑えることができる。
【００３８】
第２の実施の形態の不織布マスク２００のマスク本体２１０の寸法は、図１０に示すように、横幅Ｗ２が１８．０ｃｍで、上辺がマスク本体の中央（中心線１１７）から左右両側端にかけて下方に傾斜して（図１０中、左右両側端がｆ１＝１．５ｃｍだけ低くなるよう傾いている。）「へ字型」となっている。更に、マスク本体２１０の下辺がマスク本体の中央（中心線１１７）から左右両側端にかけて上方に傾斜して（図１０中、左右両側端がｆ２＝１．５ｃｍだけ高くなるように傾いている。）「逆へ字型」となっている。
【００３９】
なお、マスク本体２１０の高さｈ２は１０．０ｃｍであり、中央線２１５はその中心を通っている。中央線２１５から上辺、下辺の左右両側端までの垂直方向の長さｈ３は、５．０ｃｍである。
また、折畳み領域２１０Ｚの端部に形成された切欠２１２（２１２Ｒ、２１２Ｌ）は、切込みの深さが０．５ｃｍである。
また、摘み部２５０（２５０Ｒ、２５０Ｌ）は、縦方向の高さｄ２が１．０ｃｍで、横幅ｇ２は１．５ｃｍである。
【００４０】
なお、この第２の実施の形態では、マスク本体２１０は、上辺がマスク本体の中央から下方に向けて傾斜し、下辺がマスク本体の中央から上方に傾斜する６角形の形状となっているが、、上辺がマスク本体の中央から下方に向けて傾斜し、下辺がマスク本体の中央から上方に傾斜するのであれば他の多角形の形状や、上辺がマスク本体の中央から下方に向けて緩やかに傾斜し、下辺がマスク本体の中央から上方に緩やかに傾斜する曲線としてもよい。
【００４１】
不織布マスク２００は、第１の実施の形態の不織布マスク１００とマスク本体２１０の形状や寸法が異なるが、他の構成及び他の機能は同一であるため、その他の各部位の機能等の詳細な説明は省略する。
なお、上記した第１の実施の形態、第２の実施の形態では、不織布マスクを例にあげて説明したが、他の素材、例えば布製のマスクであってもマスク本体の下端の左右両側に摘み部を設けることで、通常の装着状態から飲食時の装着状態に使用態様を容易に切り替えられるマスクとすることがきる。
【産業上の利用可能性】
【００４２】
この考案は、ウィルス、細菌、微粒子の体内への侵入を阻止するマスク（サージカルマスク）に限らず、人の顔を覆う他のマスク、例えば演劇やスポーツ等で用いられるマスクにも適用できる。
【符号の説明】
【００４３】
１００  不織布マスク
１１０  マスク本体
１１０Ａ  本体上部
１１０Ｂ  本体下部
１１０Ｃ  本体中間部
１１０Ｚ  折畳み領域
１１５  中央線
１２０（１２０Ｒ、１２０Ｌ）  耳紐
１４１、１４２、１４３、１４４  取付け部
１５０（１５０Ｒ、１５０Ｌ）  摘み部
２００  不織布マスク
２１０  マスク本体
２１０Ｚ  折畳み領域
２１５  中央線
２５０（２５０Ｒ、２５０Ｌ）  摘み部
【図１】
0003233183.tif 000003
【図２】
0003233183.tif 000004
【図３】
0003233183.tif 000005
【図４】
0003233183.tif 000006
【図５】
0003233183.tif 000007
【図６】
0003233183.tif 000008
【図７】
0003233183.tif 000009
【図８】
0003233183.tif 000010
【図９】
0003233183.tif 000011
【図１０】
0003233183.tif 000012
【図１１】
0003233183.tif 000013